(57)【要約】  複数の半導体スイッチング素子で構成されたインバータ部を具備する電力変換器の制御装置において、電圧指令とインバータ出力電圧との間の誤差を抑制するとともに、電圧指令に対して高速に応答すること。電圧指令信号５２，５３を生成する電圧指令発生部５１と、電圧指令信号５２，５３に基づき、インバータ出力電圧の平均値が電圧指令信号と一致するような、同期ＰＷＭ方式のスイッチングパターンを計算して出力するスイッチングパターン計算部５４と、を備える。
2009084097.tif 000002
【特許請求の範囲】
【請求項１】
複数の半導体スイッチング素子で構成されたインバータ部を具備する電力変換器に適用され、パルス幅変調を用いて該インバータ部の半導体スイッチング素子を制御する電力変換器の制御装置において、
電圧指令信号を生成する電圧指令信号発生部と、
前記電圧指令信号に基づいて前記インバータ部の半導体スイッチング素子を制御するためのスイッチングパターンを計算するスイッチングパターン計算部と、
を備え、
前記スイッチングパターン計算部は、同期ＰＷＭ方式のスイッチングパターン計算を行い、前記インバータ部から出力される出力電圧の平均値（出力電圧平均値）が前記電圧指令信号と一致するようなスイッチングパターンを出力することを特徴とする電力変換器の制御装置。
【請求項２】
前記電圧指令信号および前記出力電圧平均値として、２軸直交回転座標系上の値を用いることを特徴とする請求項１に記載の電力変換器の制御装置。
【請求項３】
前記出力電圧平均値として、前記電圧指令信号の静止座標系上の位相をｘ個（ｘは自然数）に分割した区間における平均値を用いることを特徴とする請求項２に記載の電力変換器の制御装置。
【請求項４】
前記出力電圧平均値として、２軸直交回転座標上における電圧指令信号ベクトル方向の成分を用いることを特徴とする請求項２または３に記載の電力変換器の制御装置。
【請求項５】
前記スイッチングパターン計算部は、同期ＰＷＭ方式のスイッチングパターン計算を行う際に、複数の同期パルス数から少なくとも一つ以上の同期パルス数を選択し、該選択された同期パルス数を切り替えて行うことを特徴とする請求項１ないし４のいずれか１項に記載の電力変換器の制御装置。
【請求項６】
前記スイッチングパターン計算部は、同期パルス数を切り替えるタイミングを、静止座標系上における前記電圧指令信号の位相区間において、少なくとも一つ以上有することを特徴とする請求項５に記載の電力変換器の制御装置。
【発明の詳細な説明】
【技術分野】
【０００１】
本発明は、複数の半導体スイッチング素子で構成された電力変換器の制御装置に関するものであり、特に、パルス幅変調（以下「ＰＷＭ」と称する）を用いて制御されるＰＷＭインバータに対する電圧指令とスイッチングパターンとの間の同期をとる同期ＰＷＭ制御に関するものである。
【背景技術】
【０００２】
同期ＰＷＭ制御では、ＰＷＭインバータを制御するためのスイッチングパターンを計算する。ここで、スイッチングパターンを計算する方式として、例えば三角波などのキャリア波を電圧指令の位相角に同期させる方式（以下「キャリア波比較方式」と称する）や、電圧指令の位相を直接参照する方式（以下「位相参照方式」と称する）などが代表的なものとして挙げられる。これらの方式の中で、キャリア波比較方式は、制御系を簡易に構成でき、電圧指令に対する応答性に優れるという特徴を有しているのに対し、位相参照方式は、インバータ出力電圧に含まれる高調波成分を効果的に抑制することができるという特徴を有している。なお、キャリア波比較方式については、従来から数多くの技術文献が存在する。また、位相参照方式については、下記非特許文献１，２および特許文献１などが代表的な技術文献として存在する。【０００３】
ところで、同期ＰＷＭ制御を行う際、多くの場合では、スイッチングパターンの大まかな形状を把握することができる。このことは、同期ＰＷＭ制御では、インバータ出力電圧の形状を予め把握できるということを意味している。それゆえ、同期ＰＷＭ制御では、電圧指令一周期分のインバータ出力電圧波形に対し、所望の特性が得られるような切替位相を予め得ることが可能となる。【０００４】
なお、非特許文献１，２では、インバータ出力電圧に含まれる高調波成分の抑制、および任意の基本波成分の指定を可能とする切替位相の設定手法について開示されている。また、特許文献１では、インバータ出力電圧波形に含まれる基本波成分が電圧指令と一致するような切替位相の設定手法について開示されている。【０００５】
【特許文献１】特開平６−２５３５４６号公報
【非特許文献１】ＩＥＥＥ  Ｔｒａｎｓａｃｔｉｏｎｓ  Ｏｎ  Ｉｎｄｕｓｔｒｙ    Ａｐｐｌｉｃａｔｉｏｎｓ  （１９７３，Ｖｏｌ．ＩＡ−９，Ｎｏ．３），Ｇｅｎｅｒａｌｉｚｅｄ  Ｔｅｃｈｎｉｑｕｅｓ  ｏｆ  Ｈａｒｍｏｎｉｃ  Ｅｌｉｍｉｎａｔｉｏｎ  ａｎｄ  Ｖｏｌｔａｇｅ  Ｃｏｎｔｒｏｌ  ｉｎ  Ｔｈｙｒｉｓｔｏｒ  Ｉｎｖｅｒｔｅｒｓ  Ｐａｒｔ  Ｉ−Ｈａｒｍｏｎｉｃ  Ｅｌｉｍｉｎａｔｉｏｎ
【非特許文献２】ＩＥＥＥ  Ｔｒａｎｓａｃｔｉｏｎｓ  Ｏｎ  Ｉｎｄｕｓｔｒｙ    Ａｐｐｌｉｃａｔｉｏｎｓ  （１９７４，Ｖｏｌ，１０，Ｎｏ．５），Ｇｅｎｅｒａｌｉｚｅｄ  Ｔｅｃｈｎｉｑｕｅｓ  ｏｆ  Ｈａｒｍｏｎｉｃ  Ｅｌｉｍｉｎａｔｉｏｎ  ａｎｄ  Ｖｏｌｔａｇｅ  Ｃｏｎｔｒｏｌ  ｉｎ  Ｔｈｙｒｉｓｔｏｒ  Ｉｎｖｅｒｔｅｒｓ  ＰａｒｔＩＩ−Ｖｏｌｔａｇｅ  Ｃｏｎｔｒｏｌ  Ｔｅｃｈｎｉｑｕｅｓ
【発明の開示】
【発明が解決しようとする課題】
【０００６】
以上、代表的な同期ＰＷＭ制御方式であるキャリア波比較方式および位相参照方式の特徴について簡単に説明したが、これらの制御方式には、つぎに示すような技術的課題が存在していた。【０００７】
まず、キャリア波比較方式では、インバータ出力電圧の基本波成分における振幅と位相とに着目した場合、位相に関しては電圧指令の位相と一致するものの、振幅に関しては電圧指令との間に、比較的大きな誤差が発生するという問題点があった。なお、この誤差の問題では、次のような影響が懸念されていた。
（１）例えば負荷であるモータをＶ／ｆ制御などのオープンループ制御方式を適用して制御する場合には、インバータ電圧出力の過不足によりモータトルク精度が低下する。
（２）例えば負荷であるモータの電流制御を行う場合には、電流制御ゲインが等価的に変動する。
（３）インバータ出力電圧を電圧指令で代用する制御を行う場合には、例えば電圧リミッタ処理等が影響を受け、電流制御系が不安定化する。
このため、キャリア波比較方式では、電圧指令に対してゲイン補償を行なう等の対策が取られてきた。【０００８】
これに対し、上記非特許文献１，２および特許文献１などに示される位相参照方式では、電圧指令に対する応答性が低下するという問題点があった。例えば負荷であるモータの電流制御を行う場合、電圧指令は所定の電流を流すべく細かく変動する。一方、非特許文献１，２および特許文献１などの位相参照方式では、所望の特性を得るためのスイッチングパターンの切替位相は、フーリエ解析等を用いて計算される。このため、制御系におけるスイッチングパターンの切替位相は、電圧指令振幅に対する関数またはテーブル化されることが一般的である。他方、電圧指令の変動に伴い、上記の切替位相も細かく変動することになり、所望の特性が得られるように設定された切替位相が再現されないこととなって、切替位相に関する優先制御を行う必要性が生ずる。しかしながら、予め設定した切替位相を優先する制御を行うと、電圧指令振幅変化の切替位相に対する反映は、電圧指令一周期または半周期に一度に制限されるという制約を受けるので、電圧指令に対する応答性が低下するという問題点が生ずる。【０００９】
以上を纏めると、キャリア波比較方式では、電圧指令の変化に対しては比較的早く追従するものの、電圧指令とインバータ出力電圧の基本波成分との間に比較的大きな誤差が発生するという問題があった。一方、位相参照方式では、特にフーリエ解析を用いて設定された切替位相によって、所望の特性を得るものでは、電圧指令に対する応答性が低下するという問題点があった。【００１０】
本発明は、上記に鑑みてなされたものであり、位相参照方式を適用した場合であっても、電圧指令とインバータ出力電圧との間の誤差を抑制するとともに、電圧指令に対して高速に応答できる電力変換器の制御装置を提供することを目的とする。
【課題を解決するための手段】
【００１１】
上述した課題を解決し、目的を達成するため、本発明にかかる電力変換器の制御装置は、複数の半導体スイッチング素子で構成されたインバータ部を具備する電力変換器に適用され、パルス幅変調を用いて該インバータ部のスイッチング素子を制御する電力変換器の制御装置において、電圧指令信号を生成する電圧指令発生部と、前記電圧指令信号に基づいて前記インバータ部のスイッチング素子を制御するためのスイッチングパターンを計算するスイッチングパターン計算部と、を備え、前記スイッチングパターン計算部は、同期ＰＷＭ方式のスイッチングパターン計算を行い、前記インバータ部から出力される出力電圧の平均値（出力電圧平均値）が前記電圧指令と一致するようなスイッチングパターンを出力することを特徴とする。
【発明の効果】
【００１２】
本発明にかかる電力変換器の制御装置によれば、スイッチングパターン計算部は、同期ＰＷＭ方式のスイッチングパターン計算を行い、インバータ出力電圧の平均値が電圧指令と一致するようなスイッチングパターンを出力するので、位相参照方式を適用した場合であっても、電圧指令とインバータ出力電圧との間の誤差を抑制するとともに、電圧指令に対して高速に応答させることができるという効果を奏する。
【図面の簡単な説明】
【００１３】
【図１】図１は、本発明の実施の形態１にかかる電力変換器の基本的構成を示す図である。
【図２】図２は、本発明の実施の形態１にかかる電力変換器の制御装置の機能構成を示すブロック図である。
【図３】図３は、スイッチングパターン計算部に入力される電圧指令ベクトルおよびスイッチングパターン計算部で処理される各信号のｄｑ座標系における関係を示す図である。
【図４】図４は、実施の形態１にかかる制御装置の動作を説明するための図である。
【図５】図５は、実施の形態１にかかる制御装置によって制御されるインバータ部のスイッチング動作を位相タイミングで分類した図表である。
【図６】図６は、実施の形態２にかかる制御装置の動作を説明するための図である。
【図７】図７は、図６に示す区間Ａ〜Ｇを拡大して示した図である。
【図８】図８は、同期５パルスモードにおけるスイッチング動作を位相タイミングで分類した図表である。
【図９】図９は、実施の形態４にかかる制御装置の動作を説明するための図である。
【符号の説明】
【００１４】
１０  電力変換器
２１  直流電源部
２２  インバータ部
２２１  半導体スイッチング素子（Ｕ相Ｐ側）
２２２  半導体スイッチング素子（Ｖ相Ｐ側）
２２３  半導体スイッチング素子（Ｗ相Ｐ側）
２２４  半導体スイッチング素子（Ｕ相Ｎ側）
２２５  半導体スイッチング素子（Ｖ相Ｎ側）
２２６  半導体スイッチング素子（Ｗ相Ｎ側）
２３  負荷
５０  制御部
５１  電圧指令発生部
５２  電圧指令信号（２軸直交回転座標上におけるｄ軸）
５３  電圧指令信号（２軸直交回転座標上におけるｑ軸）
５４  スイッチングパターン計算部
５４１  位相計算部
５４２  位相信号（ｄｑ座標系上）
５４４  電圧指令位相信号（Ｕ相）
５４６  電圧指令ノルム信号
５４８  サンプルホールドされた電圧指令ノルム信号
５４３  加算部
５４５  ノルム計算部
５４７  サンプルホールド（Ｓ／Ｈ）部
５４９  切替位相計算部
５５  座標変換用位相信号
５５０  切替位相信号
５５１  位相比較部
５６  スイッチングパターン信号
【発明を実施するための最良の形態】
【００１５】
以下添付図面を参照し、本発明にかかる電力変換器の制御装置の実施の形態について詳細に説明する。なお、以下に示す実施の形態により本発明が限定されるものではない。【００１６】
実施の形態１．
図１は、本発明の実施の形態１にかかる電力変換器の基本的構成を示す図である。同図に示すように、直流電源部２１、インバータ部２２およびＰＷＭを用いてインバータ部２２の半導体スイッチング素子２２１〜２２６を制御する制御部５０を備え、負荷２３に接続される電力変換器１０が構成されている。直流電源部２１は、インバータ部２２に直流電力を供給する。また、インバータ部２２は、Ｐ側の半導体スイッチング素子である半導体スイッチング素子２２１〜２２３と、Ｎ側の半導体スイッチング素子である半導体スイッチング素子２２４〜２２６を備えて成るとともに、Ｐ側の半導体スイッチング素子である半導体スイッチング素子２２１とＮ側の半導体スイッチング素子である半導体スイッチング素子２２４とが直列に接続された直列回路を構成し、この直列回路の両端が直流電源部２１の正負電源端子に接続されている。なお、半導体スイッチング素子２２２と半導体スイッチング素子２２５、および半導体スイッチング素子２２３と半導体スイッチング素子２２６の関係についても同様であり、それぞれの直列回路の両端が直流電源部２１の正負電源端子に接続されている。なお、図１では、２レベル・３相インバータの構成を一例として示しているが、この構成に限定されるものではなく、２レベル・３相インバータ以外の電力変換器であっても構わない。【００１７】
図２は、本発明の実施の形態１にかかる電力変換器の制御装置の機能構成を示すブロック図であり、図１に示す制御部５０の構成を具現化して示した図である。図２において、制御部５０は、電圧指令発生部５１およびスイッチングパターン計算部５４を備えている。また、スイッチングパターン計算部５４は、位相計算部５４１、加算部５４３、ノルム計算部５４５、サンプルホールド部（以下「Ｓ／Ｈ部」と表記）５４７、切替位相計算部５４９、および位相比較部５５１を備えている。【００１８】
つぎに、実施の形態１にかかる制御装置の動作について図２および図３を参照して説明する。なお、図３は、スイッチングパターン計算部５４に入力される電圧指令ベクトルおよびスイッチングパターン計算部５４で処理される各信号の２軸直交回転座標系（以下「ｄｑ座標系」と表記）における関係を示す図である。【００１９】
図２において、電圧指令発生部５１は、ｄｑ座標系における電圧指令信号５２，５３をスイッチングパターン計算部５４に出力する。なお、電圧指令信号５２は、ｄ軸方向の電圧指令成分であり、電圧指令信号５３は、ｑ軸方向の電圧指令成分である。入力された電圧指令信号５２，５３は位相計算部５４１に入力され、位相信号５４２が計算される。なお、位相計算部５４１は、逆正接計算を実施する機能部であり、位相計算部５４１で計算された位相信号５４２と、入力された電圧指令信号５２，５３とは、図３に示す関係がある。【００２０】
ここで、電圧指令信号５２をＶｄ*、電圧指令信号５３をＶｑ*、位相信号５４２をθｖとすると、次式の関係がある。なお、位相計算部５４１は、この数式を直接計算してもよいし、予め作成されたテーブルを参照して位相信号５４２を求めてもよい。【００２１】
【数１】
2009084097.tif 000003
【００２２】
位相信号５４２は、加算部５４３にて座標変換用位相信号５５と加算され、２相静止座標系（以下「αβ座標系」と表記）上の電圧指令位相信号５４４が得られる。なお、加算部５４３は、加算処理だけではなく、加算後の位相信号を０〜２πの範囲に収める処理も行う。ノルム計算部５４５は、電圧指令信号５２，５３から電圧指令ノルム信号５４６を計算する。なお、電圧指令ノルム信号５４６と他の信号との関係も図３に示している。【００２３】
ここで、電圧指令ノルム信号５４６をＶｎ*とすると、次式の関係がある。なお、電圧指令ノルム信号５４６についても、位相信号５４２のときと同様に、直接計算、テーブル参照の何れの手法を用いてもよい。【００２４】
【数２】
2009084097.tif 000004
【００２５】
ノルム計算部５４５で得られた電圧指令ノルム信号５４６は、Ｓ／Ｈ部５４７でサンプルホールドされた後、切替位相計算部５４９に入力される。切替位相計算部５４９は、切替位相信号５５０を計算する。位相比較部５５１は、電圧指令位相信号５４４と切替位相信号５５０を参照してスイッチングパターン信号５６を出力する。なお、このスイッチングパターン信号５６はインバータ部２２に出力される。すなわち、スイッチングパターン信号５６に従ってインバータ部２２の各半導体スイッチング素子が制御される。【００２６】
なお、図２において、切替位相信号５５０とスイッチングパターン信号５６は複数の矢印で示しているが、インバータ部２２の各半導体スイッチング素子に対する制御信号に対応している。すなわち、切替位相信号５５０およびスイッチングパターン信号５６の出力数は、電力変換器の相数やレベル数などの種類によって、その数が変化する。【００２７】
つぎに、切替位相計算部５４９の動作について詳細に説明する。なお、ここでは、電圧指令ノルム信号５４６から切替位相信号５５０を計算するが、スイッチングパターン計算における評価指標として、インバータ部２２から出力される出力電圧の平均値（以下単に「出力電圧平均値」という）という指標を導入する。この出力電圧平均値が電圧指令に一致するスイッチングパターンとすることで出力電圧の高精度化が実現できる。【００２８】
なお、出力電圧平均値と電圧指令については、ｄｑ座標系での値とすることが好ましい。なぜなら、ｄｑ座標系は回転座標であるため、出力電圧平均値を考慮する際に、時間の進行に伴う位相変化を織り込むことができるからである。この制御により、αβ座標系での平均値と比較した場合の誤差が抑制され、制御の結果としてインバータ出力電圧の位相遅れを抑制することができる。【００２９】
また、出力電圧平均値をｄｑ座標系の電圧指令ベクトル方向の成分とすることで、スイッチングパターン計算を簡素化できる。逆に電圧指令ベクトル方向成分としなかった場合、ｄ軸成分、ｑ軸成分におけるそれぞれの平均値を考慮する必要がある。ただし、スイッチングパターン計算において両者を同時に満足できない場合もあるので、そのときは両者の優先度を設定する作業が必要となる。一方、電圧指令ベクトル方向成分を用いることで、この種の計算を省略できる。なお、同期ＰＷＭ制御では、αβ座標系の電圧指令位相に同期してスイッチングパターンが出力されるため、出力電圧平均値の計算は、αβ座標系の位相を基準として行うことが好ましい。【００３０】
つぎに、切替位相計算部５４９および位相比較部５５１の動作について図４および図５を用いて説明する。ここで、図４は、実施の形態１にかかる制御装置の動作を説明するための図であり、図５は、実施の形態１にかかる制御装置によって制御されるインバータ部のスイッチング動作を位相タイミングで分類した図表である。なお、ここでは説明の便宜上、２レベル・３相のインバータを一例とし、このインバータを同期３パルスモードで制御する場合について説明する。【００３１】
図４において、同図（ａ）は、横軸を時間とし、縦軸にＵ相電圧指令の位相（Ｕ相電圧指令位相）を示した図である。また、同図（ｂ）〜（ｄ）は、横軸を時間とし、縦軸に各相のＰ側スイッチングパターンと、そのときの各インバータ出力電圧をそれぞれ示している。なお、同図（ａ）に示すように、時間とＵ相電圧指令の関係は比例関係にあるので、同図（ｂ）〜（ｄ）の各図は、Ｕ相電圧指令位相に対する関係と見ることができる。【００３２】
また、図４（ｃ）および図４（ｄ）は、インバータの出力電圧をｄｑ座標系上で観測した波形である。ただし、図４（ｃ）は電圧指令ベクトル方向の成分（以下「電圧指令ベクトル方向成分」という）の波形であり、図４（ｄ）は電圧指令ベクトル方向に直交する方向の成分（以下「電圧指令ベクトル直交方向成分」という）の波形である。なお、図４では図示を省略しているが、Ｕ相の電圧指令波形は、図４（ａ）の位相に対する余弦計算で得ることができる。【００３３】
２レベル・３相インバータを同期３パルスモードで制御する場合、図４に示すように、電圧指令位相一周期に対して１８回のスイッチングが発生する。また、図４（ｂ）に着目すると、電圧指令の大きさによって位相タイミングが変化するスイッチング群（以下「ｉ群」と記述）と、位相タイミングが変化しないスイッチング群（以下「ii群」と記述）に分類できる。ここで、説明の便宜上、スイッチング動作点（以下単に「動作点」という）に（１）から（１８）の番号を与えるとともに（図４（ｂ）および図５を参照）、ii群の動作点と、その中間点に着目すると、図４（ｂ）に示すような区間Ａ〜Ｌからなる１２個の区間に分割できる。【００３４】
これらの区間では、開始または終了がii群の動作点となり、区間内に必ず一箇所のｉ群の動作点を含んでいる。このため、これらの区間が出力電圧平均値を制御できる最小の区間となる。なぜなら、上記のように定義した各区間において、ii群の動作点は、各区間の開始または終了を決める固定点であるのに対し、ｉ群の動作点は、各区間内で変更可能な動作点となるからである。【００３５】
ここで、図４（ｂ）に示すように、区間Ａにおけるスイッチングのタイミングを決定するパラメータとしてΔθを導入する。このΔθを用いると、各スイッチングの位相タイミングは、図５に示すような値をとる。なお、これらの各値が、切替位相計算部５４９から出力される切替位相信号５５０に相当する（図２参照）。【００３６】
すなわち、これらの各区間内において、図４（ｃ）に示したインバータ出力の電圧指令ベクトル方向成分が電圧指令と一致するように、区間Ａにおけるスイッチングのタイミング（位相：Δθ）を制御することになる。例えば、動作点（２）からスタートする区間、つまり区間Ｂでは、Δθの操作により、動作点（３）によるタイミング制御が可能となる。【００３７】
なお、区間Ｂにおいて、動作点（３）より前では、ＵＶＷ各相のスイッチングは、「オン」、「オン」、「オフ」となる。このとき負荷がバランスしていればインバータ各相の出力電圧は、次式で表せる。ただし、Ｖｄｃは直流電源部２１の出力電圧である。【００３８】
【数３】
2009084097.tif 000005
【数４】
2009084097.tif 000006
【数５】
2009084097.tif 000007
【００３９】
この値をαβ座標系上の値に変換すると、次式で表現される。【００４０】
【数６】
2009084097.tif 000008
【数７】
2009084097.tif 000009
【００４１】
これを座標変換して、回転座標上の値に変換する。ここで図４（ａ）に示したＵ相電圧指令の位相を用いると、電圧指令ベクトル方向成分（以下「ｄｖ軸」と表記）と電圧指令ベクトル直交方向成分（以下「ｑｖ軸」と表記）に分離できる。なお、ｄｖ軸およびｑｖ軸については、図３にその詳細を示している。【００４２】
図４（ａ）のＵ相電圧指令位相をθｖｕとすると、各電圧は次式で表現される。なお、θｖｕは、加算部５４３から出力される電圧指令位相信号５４４に相当する（図２参照）。【００４３】
【数８】
2009084097.tif 000010
【数９】
2009084097.tif 000011
【００４４】
ｄｖ軸での平均電圧を計算するには、各区間において積分を行い、その結果を位相で除算する。なお、このｄｖ軸平均値が、電圧指令ノルムＶｎ*と一致するように制御される。【００４５】
例えば区間Ｂにおいては、次式が成り立つように制御される。なお、この式では、動作点（３）より後の位相では、電圧がゼロであることを考慮している。【００４６】
【数１０】
2009084097.tif 000012
【００４７】
上記（１−１０）式を解くと、Δθは次式となる。なお、このΔθは、その都度計算してもよいし、電圧指令ノルムＶｎ*に対するテーブルとして準備してもよい。【００４８】
【数１１】
2009084097.tif 000013
【００４９】
上記（１−１１）式では、区間Ｂについて説明したが、他の区間についても同様である。なお、他の区間の波形も、区間Ｂの波形と同一か、左右対称であるかなどの違いになるため、（１−１１）式または、これと同等な式を用いて、Δθを計算することができる。【００５０】
なお、説明の順序が前後したが、切替位相計算部５４９は、電圧指令ノルム信号５４８（Ｖｎ*）から（１−１１）式に従ってΔθを求め、図５に示すような切替位相信号５５０を出力する。また、位相比較部５５１は、図４（ａ），（ｂ）および図５に示すように、切替位相信号５５０および電圧指令位相信号５４４を参照して、各相に付与するスイッチングパターン信号５６を算出する。【００５１】
また、図２に示した制御装置の構成において、Ｓ／Ｈ部５４７は、必ずしも必要な構成部ではない。例えば電圧指令発生部５１が電流制御を行う場合のように、電圧指令が細かく変動する場合では、チャタリングと呼ばれる現象が生起し、複数回のスイッチング動作が発生する可能性がある。このＳ／Ｈ部５４７は、このようなチャタリングを防止するために有効であり、電力変換器の安定動作に貢献することが可能となる。【００５２】
なお、Ｓ／Ｈ部５４７におけるサンプルホールドのタイミングであるが、例えば図４に示した出力電圧平均値を計算する区間の境界とする場合には、インバータ出力電圧の更新との整合がとれて好都合である。また、このタイミング以外でも、負荷や電圧指令発生部５１における制御形態に合わせ、適切な設定を行うことでもよい。例えば、上記のタイミングよりも、より細かなサンプルホールドを行えば、無駄時間が抑制され、応答性の向上につながる。【００５３】
以上説明したように、この実施の形態にかかる電力変換器の制御装置によれば、出力電圧平均値が電圧指令と一致するようなスイッチングパターンを計算して出力するので、同期ＰＷＭ制御適用時でも電圧指令とインバータ出力電圧の間の誤差が抑制され、精度の良い電圧を得ることができる。【００５４】
また、この実施の形態にかかる電力変換器の制御装置によれば、スイッチングパターン演算における評価指標として用いた出力電圧平均値の計算を、ｄｑ座標系上の値を用いるようにしているので、出力電圧の位相遅れを抑制することができる。【００５５】
また、この実施の形態にかかる電力変換器の制御装置によれば、出力電圧平均値として、電圧指令ベクトル方向の成分を用いるようにしているので、スイッチングパターンの計算を簡素化することができる。【００５６】
さらに、この実施の形態にかかる電力変換器の制御装置によれば、出力電圧平均値として、電圧指令の位相を複数個に分割した区間における平均値を用いるようにしているので、電圧指令への応答を高速化することができる。【００５７】
このように、実施の形態１にかかる電力変換器の制御装置によれば、従来の同期ＰＷＭ制御系にはない、電圧指令精度と応答性との両立を効果的に実現することができる。【００５８】
実施の形態２．
実施の形態１では、２レベル・３相インバータを同期３パルスモードで制御する場合を一例として説明したが、他のパルスモードで制御する場合についても、実施の形態１と同様な指針で、スイッチングパターンの計算を実行することができる。【００５９】
図６（ａ）は、図４（ａ）と同様にＵ相電圧指令位相を示した図である。一方、図６（ｂ）〜（ｄ）は、２レベル・３相インバータを同期５パルスモードで制御する場合の、各相におけるＰ側スイッチングパターンと、そのときの各インバータ出力電圧をそれぞれ示している。これらの図に示すように、同期５パルスモードでは、電圧指令一周期に対し、スイッチング動作は３０回発生し、電圧指令位相は２４分割されている。ここで、説明の便宜上、各動作点に対して（１）から（３０）の番号を与えるとともに、それぞれの区間に対してＡからＸまでの記号を与える。【００６０】
つぎに実施の形態２にかかる制御装置の動作について図７および図８を参照して説明する。ここで、図７は、図６に示す区間Ａ〜Ｇを拡大して示した図であり、図８は、同期５パルスモードにおけるスイッチング動作を位相タイミングで分類した図表である。なお、ここでの動作説明は、区間Ｃおよび区間Ｄに着目して行う。【００６１】
図７において、区間Ｃおよび区間Ｄでは、電圧指令ベクトル方向成分におけるインバータ出力電圧波形は、実施の形態１の同期３パルスモード（図４参照）の場合とは異なる。図７（ｂ）と図４（ｂ）との比較から明らかように、実施の形態２の同期５パルスモードでは、タイミングを決定するΔθは、Δθ１，Δθ２の２種類必要となる。これらのΔθ１，Δθ２を用いると、各スイッチングの位相タイミングは、図８に示すような値をとるとともに、これらの各値が、切替位相計算部５４９から出力される切替位相信号５５０に対応するする（図２参照）。【００６２】
なお、区間Ｃおよび区間Ｄにおいて、動作点（４）より後で、かつ、動作点（５）より前では、ＵＶＷ各相のＰ側スイッチ状態は「オン」、「オン」、「オン」となっている。このとき、ＵＶＷ各相のＮ側スイッチ状態は「オフ」、「オフ」、「オフ」となっているので、ゼロ電圧区間となる。逆に、このゼロ電圧区間以外では、ＵＶＷ各相のＰ側スイッチ状態は「オン」、「オン」、「オフ」であり、実施の形態１において説明した区間Ｂと同じである。従って、ゼロ電圧区間を除くインバータ出力電圧波形は、ｄｖ軸方向、ｑｖ軸方向のそれぞれにおいて、上述の（１−８）式および（１−９）式で表現することができる。よって、区間Ｃにおいて、ｄｖ軸方向の平均値を電圧指令ノルムＶｎ*と一致させるには、ゼロ電圧区間を考慮した次式の計算を行えばよい。【００６３】
【数１２】
2009084097.tif 000014
【００６４】
同様に、区間Ｄにおいて、ｄｖ軸方向の平均値を電圧指令ノルムＶｎ*と一致させるには、ゼロ電圧区間を考慮した次式の計算を行えばよい。【００６５】
【数１３】
2009084097.tif 000015
【００６６】
上記（２−１）式および（２−２）式を解くと、Δθ１およびΔθ２は、それぞれ次式となる。なお、実施の形態１と同様に、これらのΔθ１，Δθ２は、その都度計算してもよいし、電圧指令ノルムＶｎ*に対するテーブルとして準備してもよい。【００６７】
【数１４】
2009084097.tif 000016
【数１５】
2009084097.tif 000017
【００６８】
上記（２−３）式および（２−４）式では、区間Ｃおよび区間Ｄについて説明したが、他の区間についても同様である。具体的には、図８に示す切替位相で、図６（ｂ）に示すようなスイッチング制御を行うことで、出力電圧平均値を電圧指令と一致させることができる。【００６９】
なお、出力電圧平均値を計算する区間であるが、実施の形態１で説明した２レベル・３相インバータでは、同期パルス数をｎとすると、電圧指令位相を「６ｎ−６」分割した区間となる。つまり、同期パルス数の増加によって半導体スイッチング素子のスイッチング回数が増え、出力電圧の振幅・位相以外に操作可能な量（自由度）が表れる。上記非特許文献１，２では、自由度を高調波低減に利用している。本実施の形態では、その自由度を、インバータ出力電圧の更新回数の増加に用いる点が非特許文献１，２とは大きく異なる。【００７０】
実施の形態３．
上記実施の形態１では、２レベル・３相インバータを同期３パルスモードで制御する場合において、出力電圧平均値を計算する電圧指令位相区間を１２分割する実施形態を一例として示した。また、上記実施の形態２では、２レベル・３相インバータを同期５パルスモードで制御する場合において、出力電圧平均値を計算する電圧指令位相区間を２４分割する実施形態を一例として示した。一方、実施の形態３では、これらの分割数を半分に設定する実施形態、すなわち隣接する２つの区間を新たな１つの区間として設定することにより、区間数を削減し、計算時間や処理時間を短縮する実施形態を示すものである。【００７１】
ここで、隣接する２つの区間を新たな１つの区間として設定する考え方として、
（１）ｑｖ軸におけるインバータ出力電圧が零であり、
（２）当該出力電圧が零となる点を区間の境界点としたときに隣接区間同士の波形が点対称となる
という２つの条件を満足させた区間設定を行えばよい。例えば、図４に示す実施例を参照して説明すると、区間Ｂと区間Ｃとの境界点では、図４（ｄ）に示されるように、上記２つの条件を満足している。したがって、区間Ａおよび区間Ｂを１つの区間に設定するとともに、区間Ｃおよび区間Ｄを１つの区間に設定する。このようにして、電圧指令位相一周期における電圧位相区間では「Ａ，Ｂ」「Ｃ，Ｄ」「Ｅ，Ｆ」「Ｇ，Ｈ」「Ｉ，Ｊ」「Ｋ，Ｌ」が新たな区間となり、これらの各区間においては、同一のΔθを用いることができる。【００７２】
なお、上記のような制御を行う場合、出力電圧平均値の更新回数が低下するため、応答性能が低下することになるが、その一方で、出力電圧平均値における電圧指令ベクトル直交成分（ｑｖ軸成分）の平均値を０とすることができるので、出力電圧の精度を向上させることができる。この点については、つぎのように説明することができる。【００７３】
上記と同様に、電力変換器を２レベル・３相インバータを同期３パルスモードで制御する場合を一例として用いる。例えば、図４（ｂ）において、区間Ａと区間Ｂとを合わせた区間ＡＢにおいて、ｑｖ軸の電圧計算を行う。なお、計算手順は、実施の形態１で示した手順と同一であるため、その詳細な説明は省略する。ここで、動作点（２）よりも前の区間（元の区間Ａ）では、下記（３−１）式で表すことができる。ただし、この式は、動作点（１）以降の位相における値であり、動作点（１）以前の位相では、ｑｖ軸電圧は０となる。また、動作点（２）よりも後の区間（元の区間Ｂ）では、下記（３−２）式で表すことができる。この場合、動作点（３）以降の位相では、ｑｖ軸電圧がゼロとなる。【００７４】
【数１６】
2009084097.tif 000018
【数１７】
2009084097.tif 000019
【００７５】
つぎに、上記（３−１）式および（３−２）式から、平均値を計算する。ゼロ電圧区間を考慮するとｑｖ軸方向の出力電圧平均値（Ｖｑｖ＿ＡＶ）は、区間Ａでは（３−３）式となり、区間Ｂでは（３−４）式となる。【００７６】
【数１８】
2009084097.tif 000020
【数１９】
2009084097.tif 000021
【００７７】
このように区間Ａ、区間Ｂにおけるｑｖ軸方向のインバータ出力電圧平均値は、その極性を除いて同じとなる。このため両式のΔθが同じであれば、区間ＡＢにおけるインバータ出力電圧平均値がゼロになる。【００７８】
以上説明したように、この実施の形態にかかる電力変換器の制御装置によれば、出力電圧平均値の区間を変更することで出力電圧平均値における電圧指令ベクトル直交成分（ｑｖ軸成分）の平均値を０とすることができるので、電力変変換器の出力電圧の精度を向上させることが可能となる。【００７９】
実施の形態４．
実施の形態１〜３で説明した同期ＰＷＭ制御では、例えば同期３パルスモード、あるいは同期５パルスモードといった同一のパルスモードでの実施形態を一例として示したが、この実施の形態では、異なったパルスモード、すなわち同期パルス数の異なるパルスモードを組み合わせた実施形態について示すものであり、具体的には、各相のスイッチ状態が同期パルスモードの切替前後で変化せず、かつ、実施の形態１〜３にて説明した電圧平均値を計算する区間の境界点ならば自由に切替を行っても悪影響が出ない、という考え方に基づいている。【００８０】
図９は、実施の形態４にかかる制御装置の動作を説明するための図である。ここで、図９（ｂ）には、図４に示した同期３パルスモードにおける各相スイッチングパターンを示し、図９（ｃ）には、図６に示した同期５パルスモードにおける各相スイッチングパターンを示している。また、これらの図において、同期３パルスモードの区間と同期５パルスモードの区間とを区別するための添字「３」，「５」を付加している。【００８１】
図９において、区間Ａ３と区間Ｂ３との間の境界点は、実施の形態１〜３にて説明した電圧平均値を計算する区間の境界点（ii群の動作点）であり、かつ、この境界点の前後で各相のスイッチ状態が各パルスモード間で変化していない。したがって、この境界点を両パルスモードの切替タイミングとして使用することができる。同様に、「区間Ｃ３と区間Ｄ３」、「区間Ｅ３と区間Ｆ３」、「区間Ｇ３と区間Ｈ３」、「区間Ｉ３と区間Ｊ３」、「区間Ｋ３と区間Ｌ３」の各境界点も切替タイミングとして使用することができる。すなわち電圧指令一周期中に、複数の切替可能なタイミングが存在することになる。したがって、例えば電力変換器を２レベル・３相インバータとし、同期３パルスモードおよび同期５パルスモードを用いて制御する場合には、図９の破線部に示す任意の境界点において、これらのパルスモード間の切替を好適に行うことができる。【００８２】
なお、同期パルス数の異なるパルスモードを組み合わせた制御を行う場合であって、電圧指令一周期中に複数の切替タイミングが存在する場合には、次のような利点が存在する。【００８３】
例えば、同期パルス数の異なるパルスモードを適当な割合で連続して用いることにより、等価的に同期パルス数を変更したパルスモード動作を実現することができる。より具体的には、例えば同期３パルスモードと同期５パルスモードを１：１の割合で用いた場合には、単位時間あたりのスイッチング回数の観点からは等価的に４パルスモードが実現できる。この場合、上記の区間毎に交互に同期３パルスモードと同期５パルスモードを用いることで、電圧指令位相一周期毎に切り替えるよりも再現精度を向上させることができる。【００８４】
ここで、同期パルスモードの使用割合は、上記に示した１：１の比率でなくてもよく、任意の比率を適用することができる。同期３パルスモードと５パルスモードの場合、選択できる区間は電圧指令位相一周期中に６区間存在する（図９参照）。いま、同期３パルスモードの使用回数に着目すると、０回〜６回までの７通りの比率が選択できる。また、両パルスモードの選択パターンに関しては、例えば、最初に同期３パルスモードを２回選択し、つぎに同期５パルスモードを１回選択して、これを繰り返すといった固定したパターンでもよいし、設定した使用割合を保ちつつランダムに選択するようにしてもよい。【００８５】
なお「背景技術」の項において説明した、キャリア波比較方式や位相参照方式では、同期パルスモードの切替は、電圧指令位相一周期毎に行うことが原則となる。これらの方式において、電圧指令位相一周期中に複数回の同期パルスモードの切り替えを行うことは不可能ではないが、再現精度が著しく低下するとともに、同期パルスモードの切替時に出力電圧の変化が大きくなったり、不要なスイッチングが発生したりする可能性があるため、好ましい制御手法であるとは言い難い。【００８６】
また、他の利点として、例えば、インバータの電圧精度を高めるため、一時的に同期パルス数の高いパルスモードに切り替えるような場合、電圧指令位相の一周期分が経過するまで待機する必要はなく、無駄時間の抑制につながる。【００８７】
一方、比較的長い時間レンジで同期パルスモードを切り替えるような場合、切り替え前後の両パルスモードの使用割合を徐々に変化させるように制御すれば、滑らかな切替を高速に行うといった動作も実現できる。【００８８】
以上説明したように、この実施の形態にかかる電力変換器の制御装置によれば、異なった同期パルス数のパルスモードを組み合わせて使用する際に、電圧指令一周期中に複数の切替可能なタイミングを持つことができるので、複数の同期パルスモードを組み合わせて他のパルスモードを高精度に実行することができるとともに、同期パルスモードの切替そのものの無駄時間も抑制することができる。【００８９】
なお、上記実施の形態１〜４では、２レベル・３相インバータを同期３パルスモードで制御する場合、あるいは同期５パルスモードで制御する場合のスイッチングパターン演算について説明してきたが、３レベルインバータといったマルチレベルインバータや、３相以外の多相インバータ、さらに多くの同期パルス数を有するインバータに対しても適用することができる。つまり、上記実施の形態にかかる電力変換器の制御装置によれば、同期ＰＷＭ制御を用いて交流電圧を負荷に供給する電力変換器ならば、どのような種類のものでも適用することが可能となる。
【産業上の利用可能性】
【００９０】
以上のように、本発明にかかる電力変換器の制御装置は、電圧指令とインバータ出力電圧との間の誤差を抑制するとともに、電圧指令に対して高速に応答させることができる発明として有用である。
【図１】
2009084097.tif 000022
【図２】
2009084097.tif 000023
【図３】
2009084097.tif 000024
【図４】
2009084097.tif 000025
【図５】
2009084097.tif 000026
【図６】
2009084097.tif 000027
【図７】
2009084097.tif 000028
【図８】
2009084097.tif 000029
【図９】
2009084097.tif 000030
【国際調査報告】
2009084097.tif 000031
2009084097.tif 000032
2009084097.tif 000033
2009084097.tif 000034